(57)【要約】【課題】  貝独特の光輝感が現れる装飾部品を安いコストで製作する。【解決手段】  射出成形金型のキャビティに貝を貼付け、白色の樹脂を射出成形して貝の模様２２ａが転写されたプラスチック表示基板２２を作り、このプラスチック表示基板２２の貝の模様２２ａの上面に酸化金属膜２３を形成して貝の色調と同質の色調を作り出す。白色樹脂で形成しているため、貝の模様や色調が鮮明に現れて、貝と同質の光輝感が得られる。また、透明樹脂を用いてプラスチック表示基板を形成した場合には、裏面に白色塗膜を設ける。【選択図】        図１
2005103874.tif 000002
【特許請求の範囲】
【請求項１】
表面に貝の模様を形成したプラスチック成形部品の前記貝の模様の上面に酸化金属膜を形成して貝の色調を出現させたことを特徴とする装飾部品。
【請求項２】
前記酸化金属膜を、ＳｉＯ２、ＴｉＯ２、ＺｒＯ２、Ｔａ２Ｏ５などからなる酸化金属膜を４〜５層積層して形成したことを特徴とする請求項１に記載の装飾部品。
【請求項３】
前記酸化金属膜の上面に有機シリカ又は酸化シリコンによる保護膜を設けたことを特徴とする請求項１又は２に記載の装飾部品。
【請求項４】
前記プラスチック成形部品を白色樹脂又は透明樹脂で形成したことを特徴とする請求項１に記載の装飾部品。
【請求項５】
前記プラスチック成形部品の前記貝の模様を形成した面の反対側の面に白色塗膜、又は白色系色調を有する金属板又は金属膜を設けたことを特徴とする請求項１又は４に記載の装飾部品。
【請求項６】
貝を貼付けたキャビティを組み込んだ金型を用いて、射出成形方法で前記貝の模様が転写されたプラスチック成形部品を成形する工程と、該プラスチック成形部品の貝の模様の上面に真空蒸着方法などで酸化金属膜を形成する工程と、を有することを特徴とする装飾部品の製造方法。
【請求項７】
前記酸化金属膜を、ＳｉＯ２、ＴｉＯ２、ＺｒＯ２、Ｔａ２Ｏ５などからなる酸化金属膜を４〜５層積層して形成したことを特徴とする請求項６に記載の装飾部品の製造方法。
【請求項８】
前記酸化金属膜の上面に有機シリカ又は酸化シリコンによる保護膜を形成する工程を有することを特徴とする請求項６又は７に記載の装飾部品の製造方法。
【請求項９】
前記プラスチック成形部品を白色樹脂又は透明樹脂で形成することを特徴とする請求項６に記載の装飾部品の製造方法。
【請求項１０】
前記プラスチック成形部品の前記貝の模様を形成した面の反対側の面に、塗装又は印刷方法で白色塗膜を形成する工程を有することを特徴とする請求項６又は９に記載の装飾部品の製造方法。
【請求項１１】
前記プラスチック成形部品の前記貝の模様を形成した面の反対側の面に、白色系色調を有する金属板又は金属膜を貼付ける工程を有することを特徴とする請求項６又は９に記載の装飾部品の製造方法。
【請求項１２】
前記請求項１乃至５のいずれかに記載の装飾部品を組み込んで貝の装飾を施したことを特徴とする電子機器。
【請求項１３】
前記請求項１乃至５のいずれかに記載の装飾部品を組み込んで貝の装飾を施したことを特徴とする携帯時計なる電子機器。
【請求項１４】
前記請求項６乃至１１のいずれかに記載の製造方法を用いて装飾部品を製造し、該製造した装飾部品を組み込んで貝の装飾を施したことを特徴とする電子機器。
【発明の詳細な説明】
【技術分野】
【０００１】
本発明は装飾部品に係わるもので、特に貝模様を用いた装飾部品及びその製造方法に関する。
【背景技術】
【０００２】
従来から、装飾部品の中で貝を使ったものがある。例えば、身飾り品としてはイヤリング，ペンダントなどがあり、着衣をとめるボタンなどにも貝などを用いて装飾を持たせたものがある。また、携帯時計も装飾性を高めるために表示板などに貝を用いることも行われている。また、各種の銘板、置物などにも装飾を持たせるために貝を用いたものも見受けられる。これら貝を用いた装飾部品は貝独特の光沢と、キラキラとした光り輝く光輝感が現れて高級感を感じさせる。以下、背景技術を説明するにあたり、貝を用いた時計用表示板などを例に取って背景技術を説明する。
【０００３】
時計用表示板に用いる貝は白蝶貝、あわび貝などが主流であるが、これらの貝を用いた表示板は光沢があり、キラキラと光り輝き、貝独特の光輝感が現れて高級感を感じさせる。貝を用いた時計用表示板の一つとして、下記に示す実用新案文献１や実用新案文献２に開示されたものがある。
【０００４】
【非特許文献１】実用新案公開平７−２０５８５号公報
【非特許文献２】登録実用新案第３００９９４６号公報
【０００５】
図１０は上記実用新案文献１に開示された時計用表示板の要部断面図を示したものである。実用新案文献１に示された時計用表示板は、図１０より、金属基板１に貝，セラミック，貴石などの装飾部材２を貼合せ、装飾部材２に設けられたくり貫き部２ａに時字，マークなどの表示部材３を金属基板１の上面に足３ａを介して設けた構成が示されている。
【０００６】
また、図１１は上記実用新案文献２に開示された時計用表示板の要部断面図を示したものである。図１１より、この時計用表示板は、足１１ｃを有する表示板ベ−ス１１に模様加工を施し、その上にメッキにより着色し、更に、透明保護被膜部１２を形成し、貝殻品１４を透明粘着剤である粘着部１３を介して貼付けた構成が示されている。ここでの貝殻品１４は薄い白蝶貝，黒蝶貝，あわび貝などの貝殻を接着剤を使って十数枚から数十枚重ね合わせ接合し、略字、ネーム、マークなどの形状に切断されたものが使用される。
【０００７】
携帯時計以外に貝を用いた装飾部品としては、下記に示す実用新案文献３に開示されたものがある。
【０００８】
【非特許文献３】登録実用新案第３００９９４６号公報
【０００９】
図１２は上記実用新案文献３に示された装飾体の平面図を示していて、木製の基板１５上に、背景として砂１６を接着剤で固定し、その上に蝶の羽を象って配置した４枚のホタテの稚貝１７、蝶の胴体を象った第１の小石１８、及び触覚を象った第２の小石１９をそれぞれ接着剤で固定したものである。また、装飾のために４隅に第３の小石を配置し、固定している。
【発明の開示】
【発明が解決しようとする課題】
【００１０】
上記の実用新案文献１、２に示されたように、時計用表示板においては、天然の貝を所望の厚みにスライスして使用する。また、その後プレス加工や切削加工などをして所望の形状に仕上げる。このため、加工費などが高くつき、また、材料費が高いこともあって、製造コストは非常に高いものになる。従って、価格の高い高級時計にしか使えないと云う問題を有する。
【００１１】
また、プレス加工などを施すと、割れたり、ヒビが入ったり、欠けなどが発生したりして歩留りが悪くなると云う問題もある。また、天然の貝を使用していることから同じ模様がなく、見た目に、一個一個バラツキが発生すると云う問題もある。
【００１２】
また、上記の実用新案文献３に示された装飾体においては、やはり天然の貝そのものを使用することから製造コストが高いものになる。また、当然ながら一個一個大きさや模様が多少変わったりして品質的なバラツキが発生すると云う問題がある。
【００１３】
本発明は、上記課題に鑑みてなされたもので、その目的とするところは、安いコストで、貝と同じ質感を得る装飾部品を得ることにある。  
【課題を解決するための手段】
【００１４】
上記課題を解決する手段として、本発明の請求項１に記載の装飾部品は、表面に貝の模様を形成したプラスチック成形部品の前記貝の模様の上面に酸化金属膜を形成して貝の色調を出現させたことを特徴とするものである。
【００１５】
また、本発明の請求項２に記載の装飾部品は、酸化金属膜を、ＳｉＯ２、ＴｉＯ２、ＺｒＯ２、Ｔａ2Ｏ５などからなる酸化金属膜を４〜５層積層して形成したことを特徴とするものである。
【００１６】
また、本発明の請求項３に記載の装飾部品は、酸化金属膜の上面に有機シリカ又は酸化シリコンによる保護膜を設けたことを特徴とするものである。
【００１７】
また、本発明の請求項４に記載の装飾部品は、プラスチック成形部品を白色樹脂又は透明樹脂で形成したことを特徴とするものである。
【００１８】
また、本発明の請求項５に記載の装飾部品は、プラスチック成形部品の貝の模様を形成した面の反対側の面に白色塗膜、又は白色系色調を有する金属板又は金属膜を設けたことを特徴とするものである。
【００１９】
また、本発明の請求項６に記載の装飾部品の製造方法は、貝を貼付けたキャビティを組み込んだ金型を用いて、射出成形方法で貝の模様が転写されたプラスチック成形部品を成形する工程と、このプラスチック成形部品の貝の模様の上面に真空蒸着方法などで酸化金属膜を形成する工程と、を有することを特徴とするものである。
【００２０】
また、本発明の請求項７に記載の装飾部品の製造方法は、酸化金属膜を、ＳｉＯ２、ＴｉＯ２、ＺｒＯ２、Ｔａ2Ｏ５などからなる酸化金属膜を４〜５層積層して形成したことを特徴とするものである。
【００２１】
また、本発明の請求項８に記載の装飾部品の製造方法は、酸化金属膜の上面に有機シリカ又は酸化シリコンによる保護膜を形成する工程を有することを特徴とするものである。
【００２２】
また、本発明の請求項９に記載の装飾部品の製造方法は、プラスチック成形部品を白色樹脂又は透明樹脂で形成することを特徴とするものである。
【００２３】
また、本発明の請求項１０に記載の装飾部品の製造方法は、プラスチック成形部品の貝の模様を形成した面の反対側の面に、塗装又は印刷方法で白色塗膜を形成する工程を有することを特徴とするものである。
【００２４】
また、本発明の請求項１１に記載の装飾部品の製造方法は、プラスチック成形部品の貝の模様を形成した面の反対側の面に、白色系色調を有する金属板又は金属膜を貼付ける工程を有することを特徴とするものである。
【００２５】
また、本発明の請求項１２に記載の電子機器は、前記の請求項１乃至５のいずれかに記載の装飾部品を組み込んで貝の装飾を施したことを特徴とするものである。
【００２６】
また、本発明の請求項１３に記載の電子機器は、前記の請求項１乃至５のいずれかに記載の装飾部品を組み込んで貝の装飾を施したことを特徴とする携帯時計である。
【００２７】
また、本発明の請求項１４に記載の電子機器は、前記の請求項６乃至１１のいずれかに記載の製造方法を用いて装飾部品を製造し、この製造した装飾部品を組み込んで貝の装飾を施したことを特徴とするものである。
【発明の効果】
【００２８】
本発明は、貝を成形金型のキャビティに取付け、射出成形にてプラスチック成形部品を形成する。そして、プラスチック成形部品上に貝の模様を転写させる。そして、プラスチック成形部品の貝の模様上に、ＳｉＯ２、ＴｉＯ２、ＺｒＯ２、Ｔａ2Ｏ５などからなる酸化金属膜を４〜５層積層することによって、光沢があって光輝感が現れた貝の色調が出現する。本物の貝と同質の貝の色調が現れる。また、この酸化金属膜の上面に有機シリカ又は酸化シリコンによる保護膜を設けることにより、長期間に渡って初期品質を維持することができる。
【００２９】
また、プラスチック成形部品を白色樹脂で形成することにより、光の反射・散乱で貝の模様と色調が鮮明になって現れる。透明樹脂で成形した場合には裏面側に白色塗膜などを設けることによって、光の反射・散乱で貝の模様と色調が鮮明に現れてくる。また、白色樹脂でプラスチック成形部品を形成した場合でも裏面側に白色塗膜を設けるとより効果が大きくなる。これは、白色樹脂に限らず白色系色調を持った金属板や金属膜でも同じ効果を得る。
【００３０】
また、本発明の製造方法は、貝を貼付けたキャビティを組み込んだ金型を用いて、射出成形方法でプラスチック成形部品を成形する工程と、成形によって転写されたプラスチック部品の貝の模様の上に、ＳｉＯ２、ＴｉＯ２、ＺｒＯ２、Ｔａ２Ｏ５などからなる酸化金属膜を４〜５層積層して形成する工程を有する。これによって、プラスチック部品に貝の模様が形成されて、更に、貝の色調と同質の色調が得られる。成形工程と蒸着工程で製作できるので、量産性があり、且つ、同一模様のものを多数得ることができ、部品コストが非常に安くなる。また、この酸化金属膜の上面に有機シリカ又は酸化シリコンによる保護膜を形成する工程を設けることにより、酸化金属膜の上に保護膜が設けられる、長期間に渡って初期品質を維持することができる。
【００３１】
また、プラスチック成形部品を白色樹脂で形成することにより、光の反射・散乱で貝の色調が鮮明になって現れる。また、透明樹脂で成形した場合には裏面側に白色塗膜などを設ける工程を設けることによって、光の反射・散乱で貝の色調が鮮明に現れてくる。また、白色樹脂でプラスチック成形部品を形成した場合でも裏面側に白色塗膜を設けるとより効果が大きくなる。これは、白色樹脂に限らず白色系色調を持った金属板や金属膜を貼付ける工程を設けても同じ効果を得る。
【００３２】
そして、このような装飾部品を電子機器の外観部品として用いることによって、貝と同質の模様・色調が現れるので装飾性が高まって、且つ、高級感が現れる。また、外観的なデザインバリエーションを色々得ることができる。また、この装飾部品を時計用表示板として用いると、安いコストで作ることができて、尚且つ、高級感を感じさせる時計が得られる。
【発明を実施するための最良の形態】
【００３３】
以下、本発明の最良の実施形態を図１〜９を用いて説明する。尚、図を説明する前に、図１〜６は時計用表示板なる装飾部品を示し、図７はイヤリングなる装飾部品を示し、図８は時計用表示板なる装飾部品を備えた携帯時計を示し、図９は装飾部品を備えた携帯電話を示したものである。ここで、図１〜９は次のようになっている。図１は本発明の第１実施形態に係る時計用表示板の要部断面図を示しており、図２は図１におけるプラスチック表示基板の斜視図を示している。また、図３は図１におけるプラスチック表示基板の形成方法を説明する説明図を示していて、（ａ）図は射出成形上がりのプラスチック表示基板ブランクの斜視図、（ｂ）図はプレス上がりのプラスチック表示基板の斜視図を示している。また、図４は本発明の第２実施形態に係る時計用表示板の斜視図と要部断面図を示したもので、（ａ）図が斜視図、（ｂ）図が要部断面図である。また、図５は本発明の第３実施形態に係る表示板の斜視図と要部断面図を示したもので、（ａ）図が斜視図、（ｂ）図が要部断面図である。また、図６は本発明の第４実施形態に係る表示板の斜視図と要部断面図を示したもので、（ａ）図が斜視図、（ｂ）図が要部断面図を示している。次に、図７は本発明の第５実施形態に係るイヤリングの斜視図を示している。また、図８は本発明の第６実施形態に係る時計用表示板を備えた携帯時計の平面図を示している。また、図９は本発明の第７実施形態に係る装飾部品を備えた携帯電話の斜視図を示している。
【００３４】
図１、図２より、本発明の第１実施形態に係る時計用表示板２０は、上面に貝の模様２２ａが全面に形成され、中心部に指針取付用の孔２２ｂが形成されたプラスチック表示基板２２と、このプラスチック表示基板２２の貝の模様２２ａの上面に施された酸化金属膜２３とから構成されている。尚、図示はしていないが、酸化金属膜２３の上面に保護膜が設けられ、更に、時字などの指標が設けられて時計用表示板が完成する。
【００３５】
プラスチック表示基板２２は、図３に示すように、貝の模様２２ａが形成されたプラスチック表示基板ブランク２１を外径と孔２２ｂをプレス加工を行って形成する。（ａ）図に示すように、プラスチック表示基板ブランク２１は射出成形で形成するが、両側２カ所に突起２１ｂがあり、その裏側にピンが突出している。このピンはプレス加工時に位置決めの役目を成す。材料を射出するゲート部はブランク２１の図中裏側に当たる中心部にある。また、ブランク２１は貝の模様２２ａの大きさより一回り大き目に作られ、外周域部２１ａは何の模様もない平坦な状態になっている。そして、貝の模様２２ａのある部分をプレスして（ｂ）図に示すプラスチック表示基板２２を作る。
【００３６】
ここで、プラスチック表示基板ブランク２１に貝の模様２２ａを形成する方法は、成形金型の固定側キャビティ部に貝を貼付けることによって、貝の模様が転写されて表示基板ブランク２１に貝の模様２２ａが形成される。貝は、本実施形態では白蝶貝を使用しているが、この白蝶貝を０．２ｍｍ位の厚みにスライスし、プレス加工等で所定の形状にし、キャビティに接着剤で貼付け固定して金型をつくる。
【００３７】
プラスチック表示基板２２は、本実施形態では、白色顔料を混ぜ合わせたポリカーボネイト樹脂で射出成形して形成している。樹脂はポリカーボネイト樹脂に限定するものではなく、エポキシ樹脂、アクリル樹脂なども選択できる。尚、射出成型時の金型の温度は約１２０度位になっている。従って、使用する樹脂の軟化点温度がそれ以上ある樹脂を使うようにする。また、白色樹脂を使うと光の反射・散乱が起きるので、貝の模様や色調が鮮明になって現れる。
【００３８】
プラスチック表示基板２２の貝の模様２２ａの上に施す酸化金属膜２３は、ＳｉＯ２、ＴｉＯ２、ＺｒＯ２、Ｔａ2Ｏ５の４種類の酸化金属膜を４〜５層積層して形成する。１層の厚みは数１０Å〜数１００Åの範囲に形成して、全体の厚みは略１７００Å位の厚みになっている。この酸化金属膜２３の表面には、図示はしていないが、保護膜を設けて耐触性の向上を図っている。保護膜としては有機シリカや酸化シリコン（ＳｉＯ１、或いはＳｉＯ２）などが好適に選択できる。
【００３９】
次に、上記に述べた時計用表示板２０の製造方法を説明する。先ず最初に、上述したように貝を貼付けたキャビティを組み付けた金型を用いて射出成形方法でプラスチック表示基板ブランク２１を形成する。このとき、プラスチック表示基板ブランク２１には貝の模様２２ａが金型から転写されて形成される。次に、プラスチック表示基板２２に形成された貝の模様２２ａの上面に真空蒸着装置などを使って上記で述べた酸化金属膜２３を形成する。次に、ゲートをカットした後にプレス機でプレスして所要の形状のプラスチック表示基板２２を形成する。さらに次に、上記で述べた保護膜を塗布方法などで形成する。
【００４０】
以上述べた構成、及び製造方法を取ることにより、背景技術で述べた貝を表示板に貼付けたと同等の質感を持つ貝の模様と色調が得られる。製造方法が簡単で、且つ、量産性があることから製作コストが非常に安くなる。また、このようにして形成した時計用表示板２０は４０〜５０％の透過性を有する。従って、ソーラセル用の表示板にも十分利用できるものである。
【００４１】
次に、図４を用いて本発明の第２実施形態に係る時計用表示板を説明する。図４は表示板に貝の模様と、貝以外の他の模様の２種類の模様を形成した表示板を示していて、図４の（ａ）図は表示板の斜視図、（ｂ）図は要部断面図を示している。
【００４２】
この時計用表示板３０は、上面の外周側に貝の模様３２ａ、内周側に貝以外の他の模様３２ｂを形成したプラスチック表示基板３２に、貝の模様３２ａ上に酸化金属膜３３ａを形成し、貝以外の他の模様３２ｂ上には金属膜３３ｂを形成している。また、図示はしていないが、前述の第１実施形態と同様に、酸化金属膜３３ａ及び金属膜３３ｂの上面には、前述の第１実施形態で述べたと同じ仕様の保護膜を形成している。
【００４３】
この表示板３０は上面側に２種類の模様と２種類の色調を持つ。１種類は貝の模様３２ａとその貝の色調で、もう１種類は貝以外の他の模様３２ｂとその色調である。貝の模様３２aの色調は、前述の第１実施形態と同様に、ＳｉＯ２、ＴｉＯ２、ＺｒＯ２、Ｔａ２Ｏ５の４種類の酸化金属膜を４〜５層積層して、貝の色調を出現させている。もう１種類の貝以外の他の模様３２ｂの色調は、本実施の形態では、Ｎｉ金属の蒸着を施してＮｉ蒸着膜を形成し、その後に、Ｎｉ蒸着膜の上にＡｕメッキを薄く施してＡｕ金属膜を積層し、淡い金色の色調を出せている。そして、淡い金色と貝の光輝感のある色調とで表示板３０の色調をまとめている。何れも上面に施す酸化金属膜３３ａ及び金属膜３３ｂによってそれらの色調を出させている。また、２種類の模様は射出成形時に金型から転写して形成する。貝の模様３２ａは金型のキャビティに貝を貼付けて形成し、貝以外の他の模様３２ｂはキャビティ自体に模様を彫り込んで形成する。このように、２種類の模様を形成したキャビティを金型に組み込んで射出成形を行えば図に示す２種類の模様が形成されたプラスチック表示基板３２が得られる。尚、このプラスチック表示基板３２に使われる樹脂は、前述の第１実施形態と同様に、白色顔料を混ぜ合わせた樹脂を用いている。
【００４４】
貝の模様３２ａの色調は、前述の第１実施形態のものと同じ仕様の酸化金属膜を施して出させるが、貝以外の他の模様３２ｂに対しては、求める仕様に応じて適宜設定されるのが好ましい。また、本実施の形態では、貝以外の他の模様３２ｂは金型のキャビティに模様を彫り込んで形成したが、プレス加工（型打加工）で形成することもできる。また、平面的な模様付けであるなら印刷方法でも良い。
【００４５】
以上のように時計用表示板を２種類の模様で構成することによって、貝模様の方は光輝感が現れて高級感をかもしだす。また、もう一方の貝以外の他の模様と色調で求めるデザインを構成すると、全体的に装飾性が豊かになり、高貴感のする時計が得られる。また、デザインバリエーションを豊富に得ることができる。
【００４６】
次に、図５に示す表示板は本発明の第３実施形態に係る時計用表示板を示したものである。図５の（ａ）図は斜視図、（ｂ）図は要部断面図を示している。この時計用表示板４０は内周側に貝の模様４２ａを形成したプラスチック表示基板４２に、貝以外の他の模様４４ａを形成した金属リング４４を貼付けて表示板を形成している。プラスチック表示基板４２の外周領域に設けた段部４２ｃに金属リング４４を貼付けている。
【００４７】
ここで、プラスチック表示基板４２の貝の模様４２ａ上には酸化金属膜４３を形成している。この酸化金属膜４３は前述の第１実施形態で述べた酸化金属膜と同じ仕様のものである。また、図示はしていないが、酸化金属膜４３の上に前述の第１実施形態で述べた保護膜と同じ仕様の保護膜を設けている。
【００４８】
金属リング４４は金属板でできていて、上面には貝の模様以外の他の模様４４ａが形成されている。この模様４４ａは型打プレス作業で容易に形成することができる。また、メッキなどの表面処理も施されており、求める仕様に応じて適宜模様、色調が選択される。特に、貴金属メッキなどを施すと貴金属感が現れてくる。
【００４９】
上記の構成を取る時計用表示板は、表示板自体に貴金属感も現れ、貝と同質の色調が放す光輝感も現れて全体的に高級感を感じさせる。また、表示板を２種類の模様で形成すると、デザインのバリエーションが豊富になる。本実施の形態は貝の模様を表示板の内側に配置したものを示したが、外側に貝の模様を配置し、内側に金属板を設けた構成のものでも同じような効果が得られる。
【００５０】
次に、図６に示す表示板は本発明の第４実施形態に係る時計用示板を示しめしたものである。図６の（ａ）図は斜視図、（ｂ）図は要部断面図を示している。この時計用表示板５０は、プラスチック表示基板５２を透明な樹脂で形成している。そして、上面には貝の模様５２ａを金型から転写して形成してある。また、貝の模様５２ａの上面には酸化金属膜５３を設けている。この酸化金属膜５３は前述の第１実施形態で述べた酸化金属膜と同じ仕様で形成している。また、図示はしていないが、この酸化金属膜５３の上に前述の第１実施形態で述べた保護膜と同じ仕様の保護膜を設けている。また、プラスチック表示基板５２の下面に、即ち、貝の模様５２ａを形成した面の反対側の面に白色塗膜５５を設けている。
【００５１】
白色塗膜５５は白色顔料を配合した透明な樹脂塗料またはインクを用いて塗装方法や印刷方法などで形成する。下面に白色塗膜を設けることによって光の反射・散乱が生じ、貝の模様５２ａや色調が鮮明に現れてくる。尚、白色塗膜に代えて白色系色調を有する金属板を貼付けても同じ効果が現れる。金属板としてはアルミ板、真鍮板など各種材質のものが使用でき、ニッケルメッキや銀メッキなどの白色系の色調を示す金属メッキを施して使用しても良いし、金属板に白色塗膜を設けて使用しても良い。また、金属板の他にアルミ箔なども使用できる。本実施の形態ではプラスチック表示基板５２を透明な樹脂で形成している。透明な樹脂に代えて白色樹脂で形成し、更に、プラスチック表示基板の下面に白色塗膜を設けると、尚一層、貝の模様と色調に鮮明さが現れてくる。
【００５２】
装飾部品の一つとして数えられる時計用表示板について、以上詳細に述べたように、貝を射出成形金型のキャビティに取付け、射出成形することによって容易にプラスチック表示基板に貝の模様が転写できる。そして、その転写した貝の模様上に酸化金属膜を施すことによって貝独特の色調と同質の色調が得られる。比較的簡単な製造方法であり、大量に量産が可能であることから非常に安いコストで製作できる。また、貝の模様と他の模様との組み合わせも可能で、色々なデザインバリエーションを得ることもできる。
【００５３】
次に、本発明の第５実施形態として、装飾部品の一つであるイヤリングについて図７を用いて説明する。図７は本発明の第５実施形態に係る装飾部品としてのイヤリングの斜視図を示している。このイヤリング６０は、対称に作られた２つの子部品６１と６２から成っており、その裏面同士が接着剤を介して接着固定してある。子部品６１の表面には貝の模様６１ａが設けられており、この模様６１ａ面には酸化金属膜が形成され、更に、保護膜が設けられている。ここでの酸化金属膜及び保護膜は前述の第１実施形態の酸化金属膜、保護膜と全く同一仕様で形成している。尚、図中では見えないが、子部品６２にも子部品６１の貝模様６１ａと同じ貝模様６２ａが設けられている。
【００５４】
子部品６１、６２の図中上部に突出している突起６１ｂ、６２ｂは鎖を取付けるための突起で、小穴６１ｃが開いており、この小穴６１ｃに鎖を通して取付けられるようになっている。そして、その鎖が耳に取り付く取付具に取付けられ、イヤリング６０が耳に鎖を介して取付くようになっている。
【００５５】
子部品６１、６２は白色樹脂を用いて射出成形で形成する。貝の模様６１ａ、６２ａはそのとき金型から転写して形成する。子部品６１、６２が全く対称な部品になっていると、１つの部品を沢山作り、貼合わせることによって簡単にイヤリング６０が得られる。
【００５６】
このようにして形成したイヤリングは本物の貝と同質な模様と色調が得られるので、本物の貝と何ら見劣りしない。そして、量産ができるので製造コストが安くなり、安い価格で提供することができる。
【００５７】
図８に示すものは、本発明の第６実施形態に係る時計用表示板を備えた携帯時計の平面図を示したものである。この携帯時計７０は、ケース７１の中に表示板７２が取付けられ、表示板７２上に時針７３、分針７４、秒針７５が配設されている。また、ケース７１にはリューズ７６が取付けられている。尚、バンドは図中では省略してある。
【００５８】
表示板７２は、白色のポリカーボネイト樹脂から成り、その内周部に白蝶貝の模様７２a、外周部には貝以外の他の模様７２ｂが設けられている。貝の模様７２ａは金型から転写して形成し、その上面には酸化金属膜と保護膜を形成している。酸化金属膜と保護膜は前述の第１実施形態の酸化金属膜や保護膜と全く同じ仕様で形成している。貝以外の他の模様７２ｂは、型打プレス方法で模様を形成し、Ｎｉ蒸着膜を形成した後Ｓｎメッキを施し、貝の模様７２ａの上に施したと同じ保護膜を設けてある。そして、全体的に白系統の色調でまとめて、どちらかと云うと、柔らかい白色気味の色調を持って、貴金属感を感じさせる外観色でまとめている。
【００５９】
上記のような表示板を用いた携帯時計は、表示板に貝と同質の質感が現れた模様と色調が得られ、また、全体的に表示板が柔らかい白色気味の色調を持って貴金属感を得られることから非常に高級感を感じさせる。比較的安価な時計に本発明の表示板を用いても高級感が現れてくる。
【００６０】
次に、図９に示すものは、本発明の第７実施形態に係る携帯電話なる電子機器の斜視図を示したものである。この携帯電話８０は折り畳み式になっていて、図は折り畳んだ状態の表側を主に描いている。上カバー８１があって、その中央部から左側にかけて、表示カバー８２が上カバー８１と一体的な状態に取付いている。この表示カバー８２には液晶表示装置８３と液晶表示装置８３を表示させるスイッチ８４が取付いている。また、この表示カバー８２は、プラスチックでできており、貝の模様８２ａが形成されていて、貝の色調が現れている。また、上カバー８１はプラスチックでできているが、シルバーなるメタリック調の塗装が施されており、表側全体としては金属感と貝の色調が放す光輝感などで装飾をまとめている。
【００６１】
ここでの貝の模様８２aは、今まで説明した実施形態と同様に、金型から転写して形成する。そして、貝の模様８２aの上には酸化金属膜と保護膜を設けている。
【００６２】
所で、携帯電話のカバーなどは曲面を持った面で形成されるのが非常に多い。従って、金型のキャビティに貼付ける貝もカバーと同じ曲面を持っていなければならない。貝は熱によって柔らかくなる性質があるので、８０度位の湯の中に約５〜１０分浸漬し、その後、プレス方法で曲面にプレスすることによってカバーと同一曲面を得ることができる。このように、カバーと同じ曲面にした貝をキャビティに貼付けて射出成形をすると、貝の模様があって曲面になったカバーが得られる。
【００６３】
本実施の形態では、表示カバー８２に貝の模様８２ａを形成したが、特に限定するものではなく、上カバー８１に貝の模様を形成しても良いし、その両方に形成しても良い。また、他の模様などと組合わせて表側面を仕上げると、装飾性が豊かになり、デザインバリエーションも豊富にすることができる。
【００６４】
以上、電子機器として携帯時計と携帯電話を一例に取って説明したが、その他各種の電子機器、或いは端末機器などにおいても全く同様に適用することができる。また、各種の装飾品や銘板、ステッカー、シール、表札、置物などにおいても本発明の技術を適用することができる。
【産業上の利用可能性】
【００６５】
本発明は貝の疑似品を作って貝と同質の模様・色調を出現させる発明である。貝を装飾を施す製品には全て本発明の技術を適用することができる。装飾品、表示板類の装飾、電子機器類の装飾、建築部材類の装飾、電気製品などの装飾などに利用できるものである。
【図面の簡単な説明】
【００６６】
【図１】本発明の第１実施形態に係る時計用表示板の要部断面図である。
【図２】図１におけるプラスチック表示基板の斜視図である。
【図３】図１におけるプラスチック表示基板の形成方法を説明する説明図で、（ａ）図は射出成形上がりのプラスチック表示基板ブランクの斜視図、（ｂ）図はプレス上がりのプラスチック表示基板の斜視図である。
【図４】本発明の第２実施形態に係る時計用表示板の斜視図と要部断面図で、（ａ）図が斜視図、（ｂ）図が要部断面図である。
【図５】本発明の第３実施形態に係る時計用表示板の斜視図と要部断面図で、（ａ）図が斜視図、（ｂ）図が要部断面図である。
【図６】本発明の第４実施形態に係る時計用表示板の斜視図と要部断面図で、（ａ）図が斜視図、（ｂ）図が要部断面図である。
【図７】本発明の第５実施形態に係るイヤリングの斜視図である。
【図８】本発明の第６実施形態に係る時計用表示板を備えた携帯時計の平面図である。
【図９】本発明の第７実施形態に係る装飾部品を備えた携帯電話の斜視図である。
【図１０】実用新案文献１に開示された時計用表示板の要部断面図である。
【図１１】実用新案文献２に開示された時計用表示板の要部断面図である。
【図１２】実用新案文献３に開示された装飾体の平面図である。
【符号の説明】
【００６７】
２０、３０、４０、５０    時計用表示板  
２１      プラスチック表示基板ブランク
２２、３２、４２，５２    プラスチック表示基板
２２ａ、３２ａ、４２ａ、５２ａ、６１ａ、６２ａ、７２ａ、８２ａ    貝の模様
２３、３３ａ、４３，５３  酸化金属膜  
３２ｂ、４４ａ、７２ｂ    貝以外の他の模様
４４      金属リング  
５５      白色塗膜
６０      イヤリング
６１、６２    子部品
７０      携帯時計
７１      ケース
７２      表示板
７３      時針
７４      分針
７５      秒針
７６      リューズ
８０      携帯電話
８１      上カバー
８２      表示カバー
８３      液晶表示装置
８４      スイッチ
【図１】
2005103874.tif 000003
【図２】
2005103874.tif 000004
【図３】
2005103874.tif 000005
【図４】
2005103874.tif 000006
【図５】
2005103874.tif 000007
【図６】
2005103874.tif 000008
【図７】
2005103874.tif 000009
【図８】
2005103874.tif 000010
【図９】
2005103874.tif 000011
【図１０】
2005103874.tif 000012
【図１１】
2005103874.tif 000013
【図１２】
2005103874.tif 000014